(57)【要約】【課題】コストアップを抑えて製作でき、しかも部品の紛失を防止できるＺＩＦタイプの両面プリント配線板用コネクタを得る。【解決手段】両面に導体層を有する両面プリント配線板１を挿入できる幅と奥行きを有するコネクタハウジング６に配線板挿入通路７を設ける。このコネクタハウジング６内のコンタクト挿入溝８，１０に挿入するコンタクト９，１１は配線板挿入通路７の奥側でこの配線板挿入通路７に突出する接点部９ａ，１１ａを有する。コンタクト１１が持つ接点部１１ａ側のフリー端１１ｃに接触してこのフリー端１１ｃを操作することによりフリー端１１ｃと一体の接点部１１ａをコンタクト９が持つ接点部９ａに対して離間する位置に移動する操作と逆に接近する位置に移動する操作とを行う接点部離間・接近操作具１７がコネクタハウジング６に回動可能に組み込む。【選択図】図２
2008091284.tif 000002
【特許請求の範囲】
【請求項１】
両面に導体層を有する両面プリント配線板を挿入できる幅と奥行きを有するコネクタハウジングを有し、前記コネクタハウジングにはその一面に開口させて前記両面プリント配線板を挿入する幅で配線板挿入通路が設けられ、前記配線板挿入通路の厚み方向の一方の側には前記両面プリント配線板の各端子導体のピッチでコンタクト挿入溝が設けられ、これらコンタクト挿入溝には一方のコンタクトがそれぞれ挿入されて位置決めされ、前記コンタクトは前記配線板挿入通路の奥側でこの配線板挿入通路に突出する接点部を有し、前記コネクタハウジングの前面に対して反対側の背面には前記配線板挿入通路の厚み方向の他方の側には前記配線板挿入通路の幅方向に所定ピッチでコンタクト挿入溝が設けられ、これらコンタクト挿入溝には他方のコンタクトがそれぞれ挿入されて位置決めされ、前記他方のコンタクトは前記配線板挿入通路の奥側でこの配線板挿入通路に突出する接点部を有する両面プリント配線板用コネクタであって、
前記両コンタクトのいずれか一方の前記コンタクトが持つ前記接点部側のフリー端に接触して前記フリー端を操作することにより前記フリー端と一体の前記接点部を他方の前記コンタクトが持つ前記接点部に対して離間する位置に移動する操作と逆に接近する位置に移動する操作とを行う接点部離間・接近操作具が前記コネクタハウジングに回動可能に組み込まれていることを特徴とする両面プリント配線板用コネクタ。
【請求項２】
前記接点部離間・接近操作具は、少なくとも操作部が一方の対向面の間隔より他方の対向面の間隔の大きい構造の操作軸と、該操作軸を回転操作する操作子とを備え、前記操作軸が前記コネクタハウジングの溝に回転自在に嵌め込まれていることを特徴とする請求項１に記載の両面プリント配線板用コネクタ。
【請求項３】
前記接点部離間・接近操作具の前記操作軸は、前記コネクタハウジングの前記溝に回転自在に嵌め込まれた状態で、操作を受ける前記接点部側の前記フリー端により前記溝からの脱出を押さえられていることを特徴とする請求項２に記載の両面プリント配線板用コネクタ。
【請求項４】
前記配線板挿入通路は、該コネクタを取り付ける被実装基板に対して平行する向きに設けられた横形構造になっていることを特徴とする請求項１に記載の両面プリント配線板用コネクタ。
【請求項５】
前記配線板挿入通路は、該コネクタを取り付ける被実装基板に対して直交する向きに設けられた縦形構造になっていることを特徴とする請求項１に記載の両面プリント配線板用コネクタ。
【請求項６】
両面に導体層を有する両面プリント配線板を挿入できる幅と奥行きを有するコネクタハウジングを有し、前記コネクタハウジングにはその一面に開口させて前記両面プリント配線板を挿入する幅で配線板挿入通路が設けられ、前記配線板挿入通路の厚み方向の一方の側には前記両面プリント配線板の各端子導体のピッチでコンタクト挿入溝が設けられ、これらコンタクト挿入溝には一方のコンタクトがそれぞれ挿入されて位置決めされ、前記コンタクトは前記配線板挿入通路の奥側でこの配線板挿入通路に突出する接点部を有し、前記コネクタハウジングの前面に対して反対側の背面には前記配線板挿入通路の厚み方向の他方の側には前記配線板挿入通路の幅方向に所定ピッチでコンタクト挿入溝が設けられ、これらコンタクト挿入溝には他方のコンタクトがそれぞれ挿入されて位置決めされ、前記他方のコンタクトは前記配線板挿入通路の奥側でこの配線板挿入通路に突出する接点部を有する両面プリント配線板用コネクタで、
前記両コンタクトのいずれか一方の前記コンタクトが持つ前記接点部側のフリー端に接触して前記フリー端を操作することにより前記フリー端と一体の前記接点部を他方の前記コンタクトが持つ前記接点部に対して離間する位置に移動する操作と逆に接近する位置に移動する操作とを行う接点部離間・接近操作具が前記コネクタハウジングに回動可能に組み込まれており、
前記接点部離間・接近操作具は、操作軸と、該操作軸を回転操作する操作子とを備え、前記操作軸が前記コネクタハウジングの溝に回転自在に嵌め込まれており、
前記接点部離間・接近操作具の前記操作軸は、前記コネクタハウジングの前記溝に回転自在に嵌め込まれた状態で、操作を受ける前記接点部側の前記フリー端により前記溝からの脱出を押さえられている構造の両面プリント配線板用コネクタの製造方法であって、
前記コネクタハウジングの前記溝に前記接点部離間・接近操作具の前記操作軸を回転自在に嵌め込み、
しかる後、前記両コンタクトのいずれか一方の前記コンタクトを前記コネクタハウジングの前記コンタクト挿入溝に嵌め込み、前記コンタクトの前記接点部側の前記フリー端により前記操作軸の前記溝からの脱出を押さえることを特徴とする両面プリント配線板用コネクタの製造方法。
【発明の詳細な説明】
【技術分野】
【０００１】
本発明は、例えばＦＰＣ（フレキシブルプリント回路）やＦＦＣ（フレキシブルフラットケーブル）等で、その板面の両面に導体が設けられている両面プリント配線板を接続する両面プリント配線板用コネクタ及びその製造方法に関する。
【背景技術】
【０００２】
両面プリント配線板１として、例えば図１６（Ａ）（Ｂ）に示すように、長形の絶縁基板２の一方の面２ａでその長手方向の端部側に幅方向に一定間隔で並列に端子導体３の群を導体層として設け、他方の面２ｂで各端子導体３の群の反対側の位置に接地導体４を導体層として設けたものがある。
【０００３】
このような両面プリント配線板１を接続する両面プリント配線板用コネクタは、両面プリント配線板１との接続をＺＩＦ（ゼロ  イン  フォース）で行えるようになっている。即ち、このＺＩＦ構造は、小さな挿入力で両面プリント配線板１を両面プリント配線板用コネクタ５に挿入し、挿入後に確実に電気的・機械的に接続できるようになっている。
【０００４】
その一種として、コネクタハウジングに設けた配線板挿入通路の上下方向の両側に上側コンタクトと下側コンタクトをそれぞれ配置し、ＺＩＦのために上側コンタクト用スライド片と下側コンタクト用スライド片とを用い、これら上側コンタクト用スライド片と下側コンタクト用スライド片のいずれかを両面プリント配線板１に沿わせて配線板挿入通路に挿入し、上側コンタクトと下側コンタクトのいずれか一方の接点部に両面プリント配線板１の導体層を圧接させると共に、他方のコンタクトの接点部を一方のスライド片の両面プリント配線板１とは反対側の面に当接させる構造のものがある（例えば、特許文献１参照。）。
【０００５】
しかしながら、このような両面プリント配線板用コネクタでは、上側コンタクト用スライド片と下側コンタクト用スライド片が必要になり、コスト高になると共に操作が面倒になる問題点がある。
【０００６】
両面プリント配線板１を接続するその他のＺＩＦ構造の両面プリント配線板用コネクタ５として、図１７に示す横形構造のものもある。
【０００７】
この両面プリント配線板用コネクタ５は、両面プリント配線板１を挿入できる幅と奥行きを有するコネクタハウジング６を有する。このコネクタハウジング６には、その前面に開口させて両面プリント配線板１を挿入する幅で配線板挿入通路７が設けられている。この配線板挿入通路７の厚み方向の一方の側（下側）には、両面プリント配線板１の各端子導体３のピッチでコンタクト挿入溝８が設けられている。これらコンタクト挿入溝８には、一方のコンタクト９がそれぞれ挿入されて位置決めされている。一方のコンタクト９は、配線板挿入通路７の奥側でこの配線板挿入通路７に突出する接点部９ａを有し、配線板挿入通路７の外側に突出した端部は端子部９ｂとなっている。コネクタハウジング６の前面に対して反対側の背面には、配線板挿入通路７の厚み方向に対して反対側（上側）には配線板挿入通路７の幅方向に、前述したコンタクト挿入溝８と同じピッチでコンタクト挿入溝１０が上下に対応させて設けられている。これらコンタクト挿入溝１０には、他方のコンタクト１１がそれぞれ挿入されて位置決めされている。他方のコンタクト１１は、配線板挿入通路７の奥側でこの配線板挿入通路７に突出する接点部１１ａを有し、配線板挿入通路７の外側に突出した端部は端子部１１ｂとなっている。各コンタクト９，１１の端子部９ｂ，１１ｂは、コネクタハウジング６の一方の側の面に平行に並べられ、図示しない被実装基板のパターン上に半田付け接続されるようになっている。
【０００８】
配線板挿入通路７には、絶縁体よりなる絶縁スライド片１２の板状部１２ａが挿入されるようになっている。絶縁スライド片１２は、板状部１２ａの基部が摘み部１２ｂとなっている。絶縁スライド片１２には、板状部１２ａの両面に臨むようにして折り返し形の接触片１３がインサートモールドで支持されている。接触片１３の両端は、摘み部１２ｂ内に埋め込まれている。
【０００９】
このような両面プリント配線板用コネクタ５は、両面プリント配線板１をその各端子導体３が下側即ちコンタクト９側を向くようにして配線板挿入通路７に挿入し（ＺＩＦによる挿入）、その後から絶縁スライド片１２の板状部１２ａをこの配線板挿入通路７に挿入する（この状態では、絶縁スライド片１２の板状部１２ａの挿入により、厚み方向の両側への圧力が増して確実に電気的・機械的な接続状態になる。）。或いは、両面プリント配線板１をその各端子導体３が下側即ちコンタクト９側を向くようにし、その上に絶縁スライド片１２の板状部１２ａを載せて、両者を一緒に配線板挿入通路７に挿入する。
【００１０】
このような挿入状態になると、両面プリント配線板１の各端子導体３が各コンタクト９の接点部９ａに接触し、両面プリント配線板１の各端子導体３と各コンタクト９の端子部９ｂとが導通状態になり、両面プリント配線板１の接地導体４が折り返し形の接触片１３を介してコンタクト１１は、配線板挿入通路７の奥側でこの配線板挿入通路７に突出する接点部１１ａコンタクト１１の接点部１１ａに接触し、両面プリント配線板１の接地導体４とコンタクト１１の端子部１１ｂとが導通状態になる。
【特許文献１】特開２００４−３０３６９３号公報
【発明の開示】
【発明が解決しようとする課題】
【００１１】
しかしながら、このような構造の両面プリント配線板用コネクタ５では、接触片１３がインサートモールドで支持された絶縁スライド片１２を用いるので、これら絶縁スライド片１２及び接触片１３は携帯電話等の利用分野では寸法が非常に小さく、接触片１３付き絶縁スライド片１２の製作コストが高くなり、両面プリント配線板用コネクタ５のコストアップを招く問題点がある。また、接触片１３付き絶縁スライド片１２はコネクタハウジング６とは別部品となり、この接触片１３付き絶縁スライド片１２を紛失し易い問題点がある。
【００１２】
本発明の目的は、コストアップを抑えて製作でき、しかも部品の紛失を防止できるＺＩＦタイプの両面プリント配線板用コネクタ及びその製造方法を提供することにある。
【課題を解決するための手段】
【００１３】
上述の如き従来の問題を解決し、所期の目的を達成するための請求項１の発明は、両面に導体層を有する両面プリント配線板を挿入できる幅と奥行きを有するコネクタハウジングを有し、前記コネクタハウジングにはその一面に開口させて前記両面プリント配線板を挿入する幅で配線板挿入通路が設けられ、前記配線板挿入通路の厚み方向の一方の側には前記両面プリント配線板の各端子導体のピッチでコンタクト挿入溝が設けられ、これらコンタクト挿入溝には一方のコンタクトがそれぞれ挿入されて位置決めされ、前記コンタクトは前記配線板挿入通路の奥側でこの配線板挿入通路に突出する接点部を有し、前記コネクタハウジングの前面に対して反対側の背面には前記配線板挿入通路の厚み方向の他方の側には前記配線板挿入通路の幅方向に所定ピッチでコンタクト挿入溝が設けられ、これらコンタクト挿入溝には他方のコンタクトがそれぞれ挿入されて位置決めされ、前記他方のコンタクトは前記配線板挿入通路の奥側でこの配線板挿入通路に突出する接点部を有する両面プリント配線板用コネクタであって、
前記両コンタクトのいずれか一方の前記コンタクトが持つ前記接点部側のフリー端に接触して前記フリー端を操作することにより前記フリー端と一体の前記接点部を他方の前記コンタクトが持つ前記接点部に対して離間する位置に移動する操作と逆に接近する位置に移動する操作とを行う接点部離間・接近操作具が前記コネクタハウジングに回動可能に組み込まれていることを特徴とする。
【００１４】
請求項２に記載の発明は、請求項１の構成に加え、前記接点部離間・接近操作具は、少なくとも操作部が一方の対向面の間隔より他方の対向面の間隔の大きい構造の操作軸と、該操作軸を回転操作する操作子とを備え、前記操作軸が前記コネクタハウジングの溝に回転自在に嵌め込まれていることを特徴とする。
【００１５】
請求項３に記載の発明は、請求項２の構成に加え、前記接点部離間・接近操作具の前記操作軸は、前記コネクタハウジングの前記溝に回転自在に嵌め込まれた状態で、操作を受ける前記接点部側の前記フリー端により前記溝からの脱出を押さえられていることを特徴とする。
【００１６】
請求項４に記載の発明は、請求項１の構成に加え、前記配線板挿入通路は、該コネクタを取り付ける被実装基板に対して平行する向きに設けられた横形構造になっていることを特徴とする。
【００１７】
請求項５に記載の発明は、請求項２の構成に加え、前記配線板挿入通路は、該コネクタを取り付ける被実装基板に対して直交する向きに設けられた縦形構造になっていることを特徴とする。
【００１８】
請求項６の発明は、両面に導体層を有する両面プリント配線板を挿入できる幅と奥行きを有するコネクタハウジングを有し、前記コネクタハウジングにはその一面に開口させて前記両面プリント配線板を挿入する幅で配線板挿入通路が設けられ、前記配線板挿入通路の厚み方向の一方の側には前記両面プリント配線板の各端子導体のピッチでコンタクト挿入溝が設けられ、これらコンタクト挿入溝には一方のコンタクトがそれぞれ挿入されて位置決めされ、前記コンタクトは前記配線板挿入通路の奥側でこの配線板挿入通路に突出する接点部を有し、前記コネクタハウジングの前面に対して反対側の背面には前記配線板挿入通路の厚み方向の他方の側には前記配線板挿入通路の幅方向に所定ピッチでコンタクト挿入溝が設けられ、これらコンタクト挿入溝には他方のコンタクトがそれぞれ挿入されて位置決めされ、前記他方のコンタクトは前記配線板挿入通路の奥側でこの配線板挿入通路に突出する接点部を有する両面プリント配線板用コネクタで、
前記両コンタクトのいずれか一方の前記コンタクトが持つ前記接点部側のフリー端に接触して前記フリー端を操作することにより前記フリー端と一体の前記接点部を他方の前記コンタクトが持つ前記接点部に対して離間する位置に移動する操作と逆に接近する位置に移動する操作とを行う接点部離間・接近操作具が前記コネクタハウジングに回動可能に組み込まれており、
前記接点部離間・接近操作具は、操作軸と、該操作軸を回転操作する操作子とを備え、前記操作軸が前記コネクタハウジングの溝に回転自在に嵌め込まれており、
前記接点部離間・接近操作具の前記操作軸は、前記コネクタハウジングの前記溝に回転自在に嵌め込まれた状態で、操作を受ける前記接点部側の前記フリー端により前記溝からの脱出を押さえられている構造の両面プリント配線板用コネクタの製造方法であって、
前記コネクタハウジングの前記溝に前記接点部離間・接近操作具の前記操作軸を回転自在に嵌め込み、
しかる後、前記両コンタクトのいずれか一方の前記コンタクトを前記コネクタハウジングの前記コンタクト挿入溝に嵌め込み、前記コンタクトの前記接点部側の前記フリー端により前記操作軸の前記溝からの脱出を押さえることを特徴とする。
【発明の効果】
【００１９】
本発明の両面プリント配線板用コネクタでは、両コンタクトのいずれか一方のコンタクトが持つ接点部側のフリー端に接触してこのフリー端を操作することによりこのフリー端と一体の接点部を他方のコンタクトが持つ接点部に対して離間する位置に移動する操作と逆に接近する位置に移動する操作とを行う接点部離間・接近操作具がコネクタハウジングに回動可能に組み込まれているので、製作が難しい部品が不要になって、コストアップを抑えて製作でき、また部品がコネクタハウジングに組み込まれていて、部品の紛失を防止できるＺＩＦタイプの両面プリント配線板用コネクタを得ることができる。
【００２０】
接点部離間・接近操作具として、少なくとも操作部の外形が一方の対向面の間隔より他方の対向面の間隔の大きい構造の操作軸と、操作軸を回転操作する操作子とを備え、操作軸が前記コネクタハウジングの溝に回転自在に嵌め込まれている構造のものを用いると、操作子の操作により操作軸を回転して操作部を回転することにより、この操作部によってコンタクトが持つ接点部側のフリー端を、このフリー端と一体の接点部を他方のコンタクトが持つ接点部に対して離間する位置に移動する操作と、逆に接近する位置に移動する操作とを容易に行わせることができる。
【００２１】
接点部離間・接近操作具の操作軸が、コネクタハウジングの溝に回転自在に嵌め込まれた状態で、操作を受ける接点部側のフリー端により溝からの脱出を押さえられていると、接点部離間・接近操作具がコネクタハウジングから離脱するのを防止することができる。
【００２２】
配線板挿入通路が、当該コネクタを取り付ける被実装基板に対して平行する向きに設けられた横形構造になっていると、当該コネクタを被実装基板に平行に取り付けることができる。
【００２３】
配線板挿入通路が、当該コネクタを取り付ける被実装基板に対して直交する向きに設けられた縦形構造になっていると、当該コネクタを被実装基板に対して直交する向きで取り付けることができる。
【００２４】
本発明の両面プリント配線板用コネクタの製造方法では、コネクタハウジングの溝に接点部離間・接近操作具の操作軸を回転自在に嵌め込み、しかる後、両コンタクトのいずれか一方のコンタクトをコネクタハウジングのコンタクト挿入溝に嵌め込み、コンタクトの接点部側のフリー端により操作軸の溝からの脱出を押さえるので、組立の順序により接点部離間・接近操作具がコネクタハウジングから離脱するのを防止することができる。
【発明を実施するための最良の形態】
【００２５】
次に、本発明に係る両面プリント配線板用コネクタを実施するための最良の形態を図面を参照して詳細に説明する。なお、前述した図１６（Ａ）（Ｂ）及び図１７と対応する部分には、同一符号を用いて示している。
【００２６】
図１（Ａ）（Ｂ）乃至図７（Ａ）〜（Ｃ）は本例で用いる両面プリント配線板と本発明に係る横形構造の両面プリント配線板用コネクタの一例を示したもので、図１（Ａ）（Ｂ）は本例で用いる両面プリント配線板の表面図及び裏面図、図２（Ａ）（Ｂ）は本例の両面プリント配線板用コネクタで接点部離間・接近操作具を寝かせた状態と立ち上げた状態の各縦断面図、図３（Ａ）〜（Ｃ）は本例の両面プリント配線板用コネクタの平面図、正面図及び左側面図、図４（Ａ）〜（Ｅ）は本例の両面プリント配線板用コネクタで用いるコネクタハウジングの平面図、正面図、背面図、底面図及び縦断面図、図５（Ａ）〜（Ｅ）は本例の両面プリント配線板用コネクタで用いる接点部離間・接近操作具の平面図、正面図、背面図、底面図及び縦断面図、図６（Ａ）〜（Ｃ）は本例の両面プリント配線板用コネクタで用いる一方のコンタクトの平面図、正面図及び右側面図、図７（Ａ）〜（Ｃ）は本例の両面プリント配線板用コネクタで用いる他方のコンタクトの正面図、底面図及び右側面図である。
【００２７】
本発明で接点部離間・接近操作具を寝かせるとは、コネクタハウジングの配線板挿入通路に対して接点部離間・接近操作具を平行に向ける操作をいう。
【００２８】
図１（Ａ）（Ｂ）に示す本例で用いる両面プリント配線板１は、前述した図１６（Ａ）（Ｂ）と同様の構造であり、ただ絶縁基板２の幅方向の両側に表面と裏面の誤挿入を防止する突起２ｃ，２ｄが設けられている。即ち、突起２ｃの突出長さが例えば０．８ｍｍで、突起２ｄの突出長さ０．５ｍｍより長くなっている。
【００２９】
図２（Ａ）（Ｂ）、図３（Ａ）〜（Ｃ）及び図４（Ａ）〜（Ｅ）に示す本例の横形構造の両面プリント配線板用コネクタ５で用いるコネクタハウジング６は、基本的には前述した図１７と同様の構造となっている。本例のコネクタハウジング６は、図４（Ａ）に示す平面図から明らかなように、後述する接点部離間・接近操作具の操作軸を嵌める溝１４がこのコネクタハウジング６の後部側で上面に開口して設けられている。また、このコネクタハウジング６には、図４（Ｂ）に示す正面図から明らかなように、配線板挿入通路７の幅方向の両側に、両面プリント配線板１の表面と裏面とをどちらを上向きにして挿入するかを規定する誤挿入防止溝１５ａ，１５ｂが設けられている。本例では、誤挿入防止溝１５ａの幅が誤挿入防止溝１５ｂの幅より広く、誤挿入防止溝１５ａが左側で、誤挿入防止溝１５ｂが右側となるように設けられている。このため本例では、両面プリント配線板１がその接地導体４の面を上向きにして配線板挿入通路７に挿入するようになっている。また、このコネクタハウジング６の上面には、その上に被せられる後述する接点部離間・接近操作具のずれ止めのために複数のずれ止め突起１６が幅方向に所定の間隔で突設されている。
【００３０】
図２（Ａ）に示すように、このようなコネクタハウジング６の一方の側（下側）のコンタクト挿入溝８には、前述したと同様に前面側から一方のコンタクト９がそれぞれ挿入されて位置決めされている。またコネクタハウジング６の反対側（上側）コンタクト挿入溝１０には、背面側から他方のコンタクト１１がそれぞれ挿入されて位置決めされている。これらコンタクト９，１１の接点部９ａ，１１ａは配線板挿入通路７に突出されている。接点部９ａは凹形、接点部１１ａは凸形となっている。
【００３１】
図２（Ａ）（Ｂ）、図３（Ａ）〜（Ｃ）及び図５（Ａ）〜（Ｅ）に示すように、このような両面プリント配線板用コネクタ５では、両コンタクト９，１１のいずれか一方のコンタクト（本例では、コンタクト１１）が持つ接点部１１ａ側のフリー端１１ｃに接触してこのフリー端１１ｃを操作することによりフリー端１１ｃと一体の接点部１１ａを他方のコンタクト（本例では、コンタクト９）が持つ接点部９ａに対して離間する位置に移動する操作と逆に接近する位置に移動する操作とを行う接点部離間・接近操作具１７がコネクタハウジング６に回動可能に組み込まれている。
【００３２】
接点部離間・接近操作具１７は、少なくとも操作部１８ａが一方の対向面１８ａａの間隔より他方の対向面１８ａｂの間隔の大きいほぼ楕円形（或いは長円形）構造の操作軸１８と、この操作軸１８を回転操作する操作子１９とを備え、操作軸１８の両端の部分がコネクタハウジング６の溝１４に回転自在に嵌め込まれている。操作子１９は、コネクタハウジング６の上面に被さる板状部１９ａと、この板状部１９ａの後部の幅方向の両側から下面側に突設されて操作軸１８の長手方向の両端を一体に支持しているブラケット部１９ｂと、板状部１９ａの前面の中央側で下向きに突設された前面上部覆い部１９ｃと、この前面上部覆い部１９ｃの幅方向の両側に設けられた前面端部覆い部１９ｄとを備えている。板状部１９ａの下面には、コネクタハウジング６の上面に設けられている各ずれ止め突起１６に嵌るずれ止め凹部１９ｅがそれぞれ設けられている。操作部１８ａの対向面の間隔が狭い対向面１８ａａは、板状部１９ａと平行になっている。操作部１８ａの対向面の間隔が狭い対向面１８ａａには、板状部１９ａに対向する面に他方の各コンタクト１１が嵌る逃がし溝１８ｂがそれぞれ設けられている。
【００３３】
このような接点部離間・接近操作具１７は、両面プリント配線板１の接続状態或いは待機状態では図２（Ａ）に示すように板状部１９ａがコネクタハウジング６の上面に被さり、操作軸１８の断面円形の部分がコネクタハウジング６の溝１４に回転自在に嵌め込まれた状態で、操作を受ける接点部１１ａ側のフリー端１１ｃにより溝１４からの脱出が押さえられている。
【００３４】
図６（Ａ）〜（Ｃ）に示すように、一方のコンタクト９は端子部９ｂに連設されている部分は固定片部９ｃとなっており、この固定片部９ｃと接点部９ａとはＵ字状の弾性折り返し部９ｄで一体に連結されている。このような一方のコンタクト９は、多数本が平行に並べられ、連結帯(キャリア)で連結されて製造されるようになっている。固定片部９ｃは、その幅方向の両側面に複数の凹凸部が設けられている。このように連結帯で連結された各コンタクト９は、各コンタクト挿入溝８に一括して挿入され、各固定片部９ｃが各コンタクト挿入溝８の下側部分にそれぞれ圧入されて固定された状態で連結帯が切り離されるようになっている。
【００３５】
図７（Ａ）〜（Ｃ）に示すように、他方のコンタクト１１は端子部１１ｂに連設されている部分はクランク形の立ち上がり部１１ｄとなっており、立ち上がり部１１ｄの端部で端子部１１ｂと平行で逆向きに延びる固定片部１１ｅとなっており、固定片部１１ｅと接点部１１ａとの間はＵ字状の弾性折り返し部１１ｆで一体に連結され、接点部１１ａの先端はフリー端１１ｃとなっている。このような他方のコンタクト１１は、多数本が平行に並べられ、各端子部１１ｂの箇所で連結帯（キャリア）にて連結されて製造されるようになっている。このように連結帯で連結された各コンタクト１１は、各コンタクト挿入溝１０に一括して挿入され、各固定片部１１ｅが各コンタクト挿入溝１０の上側部分にそれぞれ圧入されて固定された状態で端子部１１ｂから連結帯が切り離されるようになっている。
【００３６】
各コンタクト９，１１の端子部９ｂ，１１ｂは、コネクタハウジング６の下面側で図示しない被実装基板に搭載され、電気的・機械的に接続されるようになっている。
【００３７】
コネクタハウジング６の上面に、接点部離間・接近操作具１７における操作子１９の板状部１９ａが被さった状態で、接点部離間・接近操作具１７はコネクタハウジング６に、このコネクタハウジング６の底面の幅方向の両端に支持された逆Ｕ字状のロック部材２０と、操作子１９の幅方向の両端に支持された突起よりなるロック部材２１との咬み合いによりロックされるようになっている。
【００３８】
このような構造の両面プリント配線板用コネクタ５の製造方法は、次のようにして行う。
（ａ）コネクタハウジング６の一方の各コンタクト挿入溝８に、前方から一方のコンタクト９をそれぞれ挿入する。
（ｂ）コネクタハウジング６の溝１４に、接点部離間・接近操作具１７の操作軸１８の断面円形の部分を嵌め込む。接点部離間・接近操作具１７は、その板状部１９ａをコネクタハウジング６の上面に被せて、操作部１８ａの間隔が狭い対向面１８ａａを倒して寝かせておく。
（ｃ）コネクタハウジング６の他方の各コンタクト挿入溝１０に、後方から他方のコンタクト１１をそれぞれ挿入し、このコンタクト１１の接点部１１ａ側のフリー端１１ｃにより操作軸１８の溝１４からの脱出を押さえる。
【００３９】
次に、このような構造の両面プリント配線板用コネクタ５の操作について説明する。
【００４０】
まず、ロック部材２０とロック部材２１との咬み合いを外し、図２（Ａ）から図２（Ｂ）に示すように、操作軸１８を回転中心として回転し、接点部離間・接近操作具１７を起こして立ち上げる。この操作軸１８の回転により操作部１８ａは、図２（Ａ）に示すように、その対向面の間隔が狭い対向面１８ａａが寝ていた状態から、図２（Ｂ）に示すように、立ち上がる。このため、図２（Ａ）に示すように、この対向面の間隔が狭い対向面１８ａａの一方に接触している接点部１１ａ側のフリー端１１ｃは、図２（Ｂ）に示すように、操作部１８ａが立ち上がることにより他方の対向面の間隔の大きい対向面１８ａｂの一方に接触する状態になって、持ち上げられる。このフリー端１１ｃの持ち上げによって、他方のコンタクト１１の接点部１１ａが一方のコンタクト９の接点部９ａから離れる。即ち、接点部１１ａと接点部９ａとの間隔が開く。この状態になれば、間隔が開いた接点部１１ａと接点部９ａとの間に、両面プリント配線板１を小さな挿入力で挿入することができる。即ち、ＺＩＦで両面プリント配線板１を接点部１１ａと接点部９ａとの間に挿入することができる。この場合には、両面プリント配線板１はその端子導体３側の面を下にして接点部１１ａと接点部９ａとの間に挿入する。
【００４１】
しかる後、図２（Ａ）に示すように、操作軸１８を回転中心として回転し、接点部離間・接近操作具１７を寝かせ、ロック部材２０とロック部材２１とを咬み合わせる。この操作により、操作部１８ａの間隔が狭い対向面１８ａａが寝て、その一方の対向面１８ａａに接点部１１ａ側のフリー端１１ｃが接触する状態になり、接点部１１ａと接点部９ａとの間隔が狭くなって、両面プリント配線板１が接点部１１ａと接点部９ａとで挟持される。その結果、両面プリント配線板１の各端子導体３が各コンタクト９の接点部９ａに電気的に接触し、両面プリント配線板１の接地導体４が各コンタクト１１の接点部１１ａに電気的に接触する。
【００４２】
このような両面プリント配線板用コネクタ５では、両コンタクト９，１１のいずれか一方のコンタクト、本例ではコンタクト１１が持つ接点部１１ａ側のフリー端１１ｃに接触してこのフリー端１１ｃを操作することによりこのフリー端１１ｃと一体の接点部１１ａを他方のコンタクト９が持つ接点部９ａに対して離間する位置に移動する操作と逆に接近する位置に移動する操作とを行う接点部離間・接近操作具１７がコネクタハウジング６に回動可能に組み込まれているので、製作が難しい部品が不要になって、コストアップを抑えて製作でき、また部品がコネクタハウジング６に組み込まれていて、部品の紛失を防止できるＺＩＦタイプの両面プリント配線板用コネクタ５を得ることができる。
【００４３】
また、接点部離間・接近操作具１７として、少なくとも操作部１８ａの外形が一方の対向面１８ａａの間隔より他方の対向面１８ａｂの間隔の大きい構造の操作軸１８と、操作軸１８を回転操作する操作子１９とを備え、操作軸１８がコネクタハウジング６の溝１４に回転自在に嵌め込まれている構造のものを用いるので、操作子１９の操作により操作軸１８を回転して操作部１８ａを回転することにより、この操作部１８ａによって本例ではコンタクト１１が持つ接点部１１ａ側のフリー端１１ｃを、このフリー端１１ｃと一体の接点部１１ａを他方のコンタクト９が持つ接点部９ａに対して離間する位置に移動する操作と、逆に接近する位置に移動する操作とを容易に行わせることができる。
【００４４】
また、接点部離間・接近操作具１７の操作軸１８が、コネクタハウジング６の溝１４に回転自在に嵌め込まれた状態で、操作を受ける接点部１１ａ側のフリー端１１ｃにより溝１４からの脱出を押さえられているので、接点部離間・接近操作具１７がコネクタハウジング６から離脱するのを防止することができる。
【００４５】
さらに、配線板挿入通路７が、当該コネクタ５を取り付ける図示しない被実装基板に対して平行する向きに設けられた横形構造になっているので、当該コネクタ５を被実装基板に平行に取り付けることができる。
【００４６】
一方、本例の両面プリント配線板用コネクタの製造方法では、コネクタハウジング６の溝１４に接点部離間・接近操作具１７の操作軸１８を回転自在に嵌め込み、しかる後、両コンタクト９，１１のいずれか一方のコンタクト、本例ではコンタクト１１をコネクタハウジング６のコンタクト挿入溝１０に嵌め込み、コンタクト１１の接点部１１ａ側のフリー端１１ｃにより操作軸１８の溝１４からの脱出を押さえるので、組立の順序により接点部離間・接近操作具１７がコネクタハウジング６から離脱するのを防止することができる。
【００４７】
図８（Ａ）（Ｂ）乃至図１５（Ａ）〜（Ｃ）は本発明に係る縦形構造の両面プリント配線板用コネクタの一例を示したもので、図８（Ａ）（Ｂ）は本例の両面プリント配線板用コネクタで接点部離間・接近操作具を寝かせた状態と立ち上げた状態の各縦断面図、図９（Ａ）（Ｂ）は本例の両面プリント配線板用コネクタの平面図及び正面図、図１０（Ａ）〜（Ｅ）は本例の両面プリント配線板用コネクタで用いるコネクタハウジングの平面図、正面図、底面図、平面図のＸ−Ｘ線断面図及びＹ−Ｙ線断面図、図１１（Ａ）〜（Ｅ）は本例の両面プリント配線板用コネクタで用いる接点部離間・接近操作具の平面図、正面図、底面図、左側面図及び縦断面図、図１２（Ａ）〜（Ｃ）は本例の両面プリント配線板用コネクタで用いる一方のコンタクトの平面図、正面図及び右側面図、図１３（Ａ）〜（Ｃ）は本例の両面プリント配線板用コネクタで用いる他方のコンタクトの平面図、正面図及び右側面図、図１４（Ａ）〜（Ｃ）は本例の両面プリント配線板用コネクタで用いる一方のロック部材の平面図、正面図及び左側面図、図１５（Ａ）〜（Ｃ）は本例の両面プリント配線板用コネクタで用いる他方のロック部材の平面図、背面図及び右側面図である。
【００４８】
本例の縦形構造の両面プリント配線板用コネクタは、前述した横形構造の両面プリント配線板用コネクタと対応する部分に同一符号を付けて示している。
【００４９】
本例で用いる両面プリント配線板１は、前述した横形構造で用いた図１（Ａ）（Ｂ）と同じものなので、図示は省略する。
【００５０】
図８（Ａ）（Ｂ）、図９（Ａ）（Ｂ）及び図１０（Ａ）〜（Ｅ）に示す本例の縦形構造の両面プリント配線板用コネクタ５で用いるコネクタハウジング６は、基本的には前述した横形構造のものと同様の構造となっている。本例のコネクタハウジング６は、図１０（Ｂ）に示す平面図から明らかなように、後述する接点部離間・接近操作具の操作軸を嵌める溝１４がこのコネクタハウジング６の後部側で上面に開口して設けられている。また、このコネクタハウジング６には、配線板挿入通路７の幅方向の両側に、両面プリント配線板１の表面と裏面とをどちらを正面に向けて挿入するかを規定する誤挿入防止溝１５ａ，１５ｂが設けられている。本例でも、誤挿入防止溝１５ａの幅が誤挿入防止溝１５ｂの幅より広くなっている。本例では、誤挿入防止溝１５ａが右側で、誤挿入防止溝１５ｂが左側となるように設けられている。このため本例では、両面プリント配線板１がその端子導体３の面を正面に向けて配線板挿入通路７に挿入するようになっている。また、このコネクタハウジング６の上面には、後述する接点部離間・接近操作具が寝かせられている状態でこの後述する接点部離間・接近操作具をロックするロック部材を挿入するロック部材挿入孔２２，２３が平板状孔として形成されている。これらロック部材挿入孔２２，２３は、コネクタハウジング６の平面図に開口している孔部の下の部分より正面に向かって広く形成されている。
【００５１】
図８（Ａ）に示すように、このようなコネクタハウジング６の一方の側（正面側）のコンタクト挿入溝８には、底面側から一方のコンタクト９がそれぞれ挿入されて位置決めされている。またコネクタハウジング６の反対側（背面側）コンタクト挿入溝１０には、底面側から他方のコンタクト１１がそれぞれ挿入されて位置決めされている。これらコンタクト９，１１の接点部９ａ，１１ａは配線板挿入通路７に突出されている。この例でも、接点部９ａは凹形、接点部１１ａは凸形となっている。
【００５２】
図８（Ａ）（Ｂ）、図９（Ａ）（Ｂ）及び図１１（Ａ）〜（Ｅ）に示すように、この両面プリント配線板用コネクタ５では、両コンタクト９，１１のいずれか一方のコンタクト（本例では、コンタクト１１）が持つ接点部１１ａ側のフリー端１１ｃに接触してこのフリー端１１ｃを操作することによりフリー端１１ｃと一体の接点部１１ａを他方のコンタクト（本例では、コンタクト９）が持つ接点部９ａに対して離間する位置に移動する操作と逆に接近する位置に移動する操作とを行う接点部離間・接近操作具１７がコネクタハウジング６に回動可能に組み込まれている。
【００５３】
接点部離間・接近操作具１７は、少なくとも操作部１８ａが一方の対向面１８ａａの間隔より他方の対向面１８ａｂの間隔の大きいほぼ楕円形（或いは長円形）構造の操作軸１８と、この操作軸１８を回転操作する操作子１９とを備え、操作軸１８の両端の部分がコネクタハウジング６の溝１４に回転自在に嵌め込まれている。操作子１９は、図８（Ａ）でコネクタハウジング６の背面に被さる板状部１９ａと、この板状部１９ａの幅方向の両側から正面側に突設されて操作軸１８の長手方向の両端を一体に支持しているブラケット部１９ｂと、板状部１９ａの他端の中央側で正面側に突設された前面上部覆い部１９ｃと、この前面上部覆い部１９ｃの幅方向の両側に設けられた前面端部覆い部１９ｄとを備えている。操作部１８ａの対向面の間隔が狭い対向面１８ａａは、板状部１９ａと平行になっている。操作部１８ａの対向面の間隔が狭い対向面１８ａａには、板状部１９ａに対向する面に他方の各コンタクト１１が嵌る逃がし溝１８ｂがそれぞれ設けられている。
【００５４】
このような接点部離間・接近操作具１７は、両面プリント配線板１の接続状態或いは待機状態では図８（Ａ）に示すように板状部１９ａがコネクタハウジング６の背面に被さり、操作軸１８の両端部分がコネクタハウジング６の溝１４に回転自在に嵌め込まれた状態で、操作を受ける接点部１１ａ側のフリー端１１ｃにより溝１４からの脱出が押さえられている。
【００５５】
図１２（Ａ）〜（Ｃ）に示すように、一方のコンタクト９は図６（Ａ）〜（Ｃ）とほぼ同様に形成されている。
【００５６】
図１３（Ａ）〜（Ｃ）に示すように、他方のコンタクト１１は端子部１１ｂに連設されている部分は固定片部１１ｅとなっており、この固定片部１１ｅの先は一体のＳ字状をなすダブルの弾性折り返し部１１ｆとなっており、この弾性折り返し部１１ｆの先は一体の接点部１１ａとなっており、この接点部１１ａの先は一体の立ち上がり部１１ｄとなっており、この立ち上がり部１１ｄの先は固定片部１１ｅと同一方向のフリー端１１ｃとなっている。本例では、固定片部１１ｅの先の弾性折り返し部１１ｆと接点部１１ａと立ち上がり部１１ｄとフリー端１１ｃとの部分は、固定片部１１ｅに２列に突設された構造になっている。端子部１１ｂの両側に連結片が連設され、この連結片で隣のコンタクト１１が、連結帯（キャリア）にて連結されて製造されるようになっている。このように連結帯で連結された各コンタクト１１も、各コンタクト挿入溝１０に一括して挿入され、各固定片部１１ｅが各コンタクト挿入溝１０の入口側部分にそれぞれ圧入されて固定された状態で固定片部１１ｅから連結帯が切り離されるようになっている。
【００５７】
コネクタハウジング６に対して接点部離間・接近操作具１７が、図８（Ａ）に示すように寝かされた状態でこの接点部離間・接近操作具１７が後ろ向きに起こされないように、図１４（Ａ）〜（Ｃ）及び図１５（Ａ）〜（Ｃ）に示すロック部材２４，２５が用いられている。これらロック部材２４，２５は、ハウジング６の外に突出するハウジング外突出板部２４ａ，２５ａと、その下に連設されていてハウジング６のロック部材挿入孔２２，２３に入れられて固定されるハウジング内固定板部２４ｂ，２５ｂと、ハウジング外突出板部２４ａ，２５ａの板面から片側に打ち出されたロック突起２４ｃ，２５ｃと、ハウジング内固定板部２４ｂ，２５ｂの下部にロック突起２４ｃ，２５ｃの突出方向とは逆向きに直交する向きで連設された支え板部２４ｄ，２５ｄを備えた構造になっている。これらロック部材２４，２５は、支え板部２４ｄ，２５ｄのところで連結帯２４ｅ，２５ｅで連結されて製造されるようになっている。このようなロック部材２４，２５は、ハウジング外突出板部２４ａ，２５ａに対してハウジング内固定板部２４ｂ，２５ｂの突出方向が左右逆になっている。かかる構造のロック部材２４，２５は、ハウジング６の底部側からロック部材挿入孔２２，２３にロック部材２４，２５を挿入し、ハウジング外突出板部２４ａ，２５ａをハウジング６の外に突き出し、ハウジング内固定板部２４ｂ，２５ｂの外周の突起でロック部材挿入孔２２，２３内に固定する。接点部離間・接近操作具１７の操作子１９には、この接点部離間・接近操作具１７を配線板挿入通路７に沿って寝かせたときにロック突起２４ｃ，２５ｃを乗り越えてこれらロック突起２４ｃ，２５ｃに係止されるロック部材２１，２１が設けられている。
【００５８】
各コンタクト９，１１の端子部９ｂ，１１ｂは、コネクタハウジング６の下面側の図示しない被実装基板に搭載されて電気的・機械的に接続されるようになっている。
【００５９】
このような構造の両面プリント配線板用コネクタ５の製造方法は、次のようにして行う。
（ａ）コネクタハウジング６の一方の各コンタクト挿入溝８に、底部から一方のコンタクト９をそれぞれ挿入する。
（ｂ）コネクタハウジング６の溝１４に、接点部離間・接近操作具１７の操作軸１８の断面円形の部分を嵌め込む。接点部離間・接近操作具１７は、その板状部１９ａをコネクタハウジング６の背面に被せて、操作部１８ａの間隔が狭い対向面１８ａａを倒して寝かせておく。
（ｃ）コネクタハウジング６の他方の各コンタクト挿入溝１０に、底部から他方のコンタクト１１をそれぞれ挿入し、このコンタクト１１の接点部１１ａ側のフリー端１１ｃにより操作軸１８の溝１４からの脱出を押さえる。
【００６０】
次に、このような構造の両面プリント配線板用コネクタ５の操作について説明する。
【００６１】
まず、ロック突起２４ｃ，２５ｃからロック部材２１，２１の咬み合いを外し、図８（Ａ）から図８（Ｂ）に示すように、操作軸１８を回転中心として回転し、接点部離間・接近操作具１７を起こしてコネクタハウジング６の背面側に立ち上げる。この操作軸１８の回転により操作部１８ａは、図８（Ａ）に示すように寝ていた状態から、図８（Ｂ）に示すように立ち上がる。このため、図８（Ａ）に示すように、この対向面の間隔が狭い対向面１８ａａの一方に接触している接点部１１ａ側のフリー端１１ｃは、図８（Ｂ）に示すように、操作部１８ａが立ち上がることにより他方の対向面の間隔の大きい対向面１８ａｂの一方に接触する状態になって、持ち上げられる。このフリー端１１ｃの持ち上げによって、他方のコンタクト１１の接点部１１ａが一方のコンタクト９の接点部９ａから離れる。即ち、接点部１１ａと接点部９ａとの間隔が開く。この状態になれば、間隔が開いた接点部１１ａと接点部９ａとの間に、両面プリント配線板１を小さな挿入力で挿入することができる。即ち、ＺＩＦで両面プリント配線板１を接点部１１ａと接点部９ａとの間に挿入することができる。この場合には、両面プリント配線板１はその端子導体３側の面を正面に向けて接点部１１ａと接点部９ａとの間に挿入する。
【００６２】
しかる後、図８（Ａ）に示すように、操作軸１８を回転中心として回転し、接点部離間・接近操作具１７を寝かせ、ロック突起２４ｃ，２５ｃを乗り越えてロック部材２１，２１を移動させ、ロック部材２１，２１をロック突起２４ｃ，２５ｃに係止させる。この操作により、操作部１８ａの間隔が狭い対向面１８ａａが寝て、その一方の対向面１８ａａに接点部１１ａ側のフリー端１１ｃが接触する状態になり、接点部１１ａと接点部９ａとの間隔が狭くなって、両面プリント配線板１が接点部１１ａと接点部９ａとで挟持される。その結果、両面プリント配線板１の各端子導体３が各コンタクト９の接点部９ａに電気的に接触し、両面プリント配線板１の接地導体４が各コンタクト１１の接点部１１ａに電気的に接触する。
【００６３】
このような両面プリント配線板用コネクタ５でも、前述した例と同様の効果を得ることができる。
【図面の簡単な説明】
【００６４】
【図１】（Ａ）（Ｂ）は本発明で用いる両面プリント配線板の表面図及び裏面図である。
【図２】（Ａ）（Ｂ）は本発明の一例の両面プリント配線板用コネクタで接点部離間・接近操作具を寝かせた状態と立ち上げた状態の各縦断面図である。
【図３】（Ａ）〜（Ｃ）は本例の両面プリント配線板用コネクタの平面図、正面図及び左側面図である。
【図４】（Ａ）〜（Ｅ）は本例の両面プリント配線板用コネクタで用いるコネクタハウジングの平面図、正面図、背面図、底面図及び縦断面図である。
【図５】（Ａ）〜（Ｅ）は本例の両面プリント配線板用コネクタで用いる接点部離間・接近操作具の平面図、正面図、背面図、底面図及び縦断面図である。
【図６】（Ａ）〜（Ｃ）は本例の両面プリント配線板用コネクタで用いる一方のコンタクトの正面図、平面図及び右側面図である。
【図７】（Ａ）〜（Ｃ）は本例の両面プリント配線板用コネクタで用いる他方のコンタクトの正面図、右側面図及び底面図である。
【図８】（Ａ）（Ｂ）は本発明の両面プリント配線板用コネクタの他の例で接点部離間・接近操作具を寝かせた状態と立ち上げた状態の各縦断面図である。
【図９】（Ａ）（Ｂ）は本例の両面プリント配線板用コネクタの平面図及び正面図である。
【図１０】（Ａ）〜（Ｆ）は本例の両面プリント配線板用コネクタで用いるコネクタハウジングの平面図、正面図、底面図、平面図のＸ−Ｘ線断面図及びＹ−Ｙ線断面図である。
【図１１】（Ａ）〜（Ｅ）は本例の両面プリント配線板用コネクタで用いる接点部離間・接近操作具の平面図、正面図、底面図、左側面図及び縦断面図である。
【図１２】（Ａ）〜（Ｃ）は本例の両面プリント配線板用コネクタで用いる一方のコンタクトの平面図、正面図及び右側面図である。
【図１３】（Ａ）〜（Ｃ）は本例の両面プリント配線板用コネクタで用いる他方のコンタクトの平面図、正面図及び右側面図である。
【図１４】（Ａ）〜（Ｃ）は本例の両面プリント配線板用コネクタで用いる一方のロック部材の平面図、正面図及び左側面図である。
【図１５】（Ａ）〜（Ｃ）は本例の両面プリント配線板用コネクタで用いる他方のロック部材の平面図、背面図及び右側面図である。
【図１６】従来の両面プリント配線板用コネクタで用いる両面プリント配線板の表面図及び裏面図である。
【図１７】従来の両面プリント配線板用コネクタの縦断面図である。
【符号の説明】
【００６５】
１  両面プリント配線板
２  絶縁基板
２ａ  一方の面
２ｂ  他方の面
２ｃ，２ｄ  突起
３  端子導体
４  接地導体
５  両面プリント配線板用コネクタ
６  コネクタハウジング
７  配線板挿入通路
８  コンタクト挿入溝
９  一方のコンタクト
９ａ  接点部
９ｂ  端子部
９ｃ  固定片部
９ｄ  弾性折り返し部
１０  コンタクト挿入溝
１１  他方のコンタクト
１１ａ  接点部
１１ｂ  端子部
１１ｃ  フリー端
１１ｄ  立ち上がり部
１１ｅ  固定片部
１１ｆ  弾性折り返し部
１２  絶縁スライド片
１２ａ  板状部
１２ｂ  摘み部
１３  接触片
１４  溝
１５ａ，１５ｂ  誤挿入防止溝
１６  ずれ止め突起
１７  接点部離間・接近操作具
１８  操作軸
１８ａ  操作部
１８ａａ  一方の対向面
１８ａｂ  他方の対向面
１８ｂ  逃がし溝
１９  操作子
１９ａ  板状部
１９ｂ  ブラケット部
１９ｃ  前面上部覆い部
１９ｄ  前面端部覆い部
１９ｅ  ずれ止め凹部
２０  ロック部材
２１  ロック部材
２２，２３  ロック部材挿入孔
２４，２５  ロック部材
２４ａ，２５ａ  ハウジング外突出板部
２４ｂ，２５ｂ  ハウジング内固定板部
２４ｃ，２５ｃ  ロック突起
【図１】
2008091284.tif 000003
【図２】
2008091284.tif 000004
【図３】
2008091284.tif 000005
【図４】
2008091284.tif 000006
【図５】
2008091284.tif 000007
【図６】
2008091284.tif 000008
【図７】
2008091284.tif 000009
【図８】
2008091284.tif 000010
【図９】
2008091284.tif 000011
【図１０】
2008091284.tif 000012
【図１１】
2008091284.tif 000013
【図１２】
2008091284.tif 000014
【図１３】
2008091284.tif 000015
【図１４】
2008091284.tif 000016
【図１５】
2008091284.tif 000017
【図１６】
2008091284.tif 000018
【図１７】
2008091284.tif 000019